(57)【要約】【課題】  据え置き状態での鑑賞だけでなく鑑賞者が手に持って映像を鑑賞することができるデジタルフォトフレームを提供する。【解決手段】  画像を表示する表示部８を有し映像の出力を行うデジタルフォトフレーム２であって、クレードル６に載置されているか、前記クレードルから外されているかを検出する検出部４６と、前記検出部の検出結果に応じて前記映像の出力態様を異ならせる出力制御部３６，３８とを備える。【選択図】  図２
2010243723.tif 000002
【特許請求の範囲】
【請求項１】
画像を表示する表示部を有し映像の出力を行うデジタルフォトフレームであって、
クレードルに載置されているか、前記クレードルから外されているかを検出する検出部と、
前記検出部の検出結果に応じて前記映像の出力態様を異ならせる出力制御部と
を備えることを特徴とするデジタルフォトフレーム。
【請求項２】
前記出力制御部は、前記クレードルに載置されている場合と、前記クレードルから外された場合とにおける前記表示部に表示される前記画像の切り替え速度を異ならせることを特徴とする請求項１記載のデジタルフォトフレーム。
【請求項３】
外部の明るさを測定する測光部を更に備え、
前記出力制御部は、前記クレードルに載置されている場合と、前記クレードルから外された場合とにおける前記外部の明るさに基づく前記表示部の表示輝度の変更態様を異ならせることを特徴とする請求項１または２記載のデジタルフォトフレーム。
【請求項４】
前記出力制御部は、前記クレードルに載置されている場合には前記画像に情報表示を付加して前記表示部に表示し、前記クレードルから外された場合には前記情報表示を除いた前記画像を前記表示部に表示することを特徴とする請求項１〜３の何れか一項に記載のデジタルフォトフレーム。
【請求項５】
音声を出力するスピーカを有し、
前記出力制御部は、前記クレードルに載置されている場合には前記スピーカから前記音声を出力せず、前記クレードルから外された場合には前記スピーカから前記音声を出力することを特徴とする請求項１〜４の何れか一項に記載のデジタルフォトフレーム。
【請求項６】
音声を出力するスピーカを有し、
前記出力制御部は、前記クレードルに載置されている場合と、前記クレードルから外された場合とにおける前記スピーカから出力する前記音声の音量を異ならせることを特徴とする請求項１〜４の何れか一項に記載のデジタルフォトフレーム。
【請求項７】
前記出力制御部は、前記クレードルに載置されている場合と前記クレードルから外された場合とにおいて、前記表示部に表示される前記画像の色または階調を異ならせることを特徴とする請求項１〜６の何れか一項に記載のデジタルフォトフレーム。
【請求項８】
前記クレードルに載置されている場合にのみ出力可能な前記映像、前記クレードルから外されている場合にのみ出力可能な前記映像及び前記クレードルへの着脱状態に関わらず出力可能な前記映像を設定する表示制限設定部を更に備えることを特徴とする請求項１〜７の何れか一項に記載のデジタルフォトフレーム。
【請求項９】
前記出力制御部は、前記クレードルに載置されている場合には一定時間以上１の前記画像を前記表示部に出力する固定表示を行い、前記クレードルから外された場合には複数の前記画像を所定時間で切り替えて前記表示部に出力するスライドショーを行うことを特徴とする請求項１〜８の何れか一項に記載のデジタルフォトフレーム。
【請求項１０】
前記出力制御部は、前記クレードルに載置されている場合には複数の前記画像を所定時間で切り替えて前記表示部に出力するスライドショーを行い、前記クレードルから外された場合には前記スライドショーを所定枚数前の前記画像から再実行することを特徴とする請求項１〜８の何れか一項に記載のデジタルフォトフレーム。
【請求項１１】
前記出力制御部は、前記クレードルに載置されている場合には一定時間以上１の前記画像を前記表示部に出力する固定表示を行い、前記クレードルから外された場合には複数の前記画像を所定のサイズに縮小し前記表示部に出力するサムネイル表示を行うことを特徴とする請求項１〜８の何れか一項に記載のデジタルフォトフレーム。
【請求項１２】
前記出力制御部は、前記クレードルに載置されている場合には複数の前記画像を所定の速度で切り替えて前記表示部に出力するスライドショーを行い、前記クレードルから外された場合には１の前記画像を前記表示部に出力する固定表示を行うことを特徴とする請求項１〜８の何れか一項に記載のデジタルフォトフレーム。
【請求項１３】
外部装置から前記映像を取得する映像取得部を更に備え、
前記出力制御部は、前記クレードルに載置されている際に前記映像取得部を介して取得した前記映像を前記クレードルから外された際に出力することを特徴とする請求項１〜８の何れか一項に記載のデジタルフォトフレーム。
【請求項１４】
前記出力制御部は、前記クレードルに載置された際に前記表示部において表示する前記画像を前記クレードルから外された際に前記表示部に表示されていた前記画像とすることを特徴とする請求項１〜１３の何れか一項に記載のデジタルフォトフレーム。
【請求項１５】
前記クレードルに載置された際に前記表示部において前記クレードルから外された際に表示されていた前記画像を表示するか否かを設定する復帰動作設定部を更に備えることを特徴とする請求項１〜１４の何れか一項に記載のデジタルフォトフレーム。
【請求項１６】
前記検出部が前記クレードルとの着脱状態の変化を検出した場合の動作を設定する動作設定部をさらに備えることを特徴とする請求項１〜１５の何れか一項に記載のデジタルフォトフレーム。
【請求項１７】
前記クレードルに載置されている場合には電源の供給量を減少させる待機状態とする電源制御部を更に備えることを特徴とする請求項１記載のデジタルフォトフレーム。
【請求項１８】
所定の条件により複数の前記画像を設定する特定画像設定部を備え、
前記出力制御部は、前記クレードルから外された場合には前記特定画像設定部により設定された複数の前記画像を所定時間で切り替えて前記表示部に表示するスライドショーを行うことを特徴とする請求項１〜８及び１７の何れか一項に記載のデジタルフォトフレーム。
【請求項１９】
画像を表示する表示部を有し映像の出力を行うデジタルフォトフレームであって、
クレードルに載置されているか、前記クレードルから外されているかを検出する検出部と、
前記クレードルから外された際に外部装置から前記映像を取得する映像取得部と
を備えることを特徴とするデジタルフォトフレーム。
【発明の詳細な説明】
【技術分野】
【０００１】
本発明は、デジタルフォトフレームに関するものである。
【背景技術】
【０００２】
メモリカードに記憶されている画像データを読み出し表示部に表示するデジタルフォトフレームが知られている（例えば、特許文献１参照）。このデジタルフォトフレームにおいては、デジタルフォトフレームを台座に立て掛けた際の姿勢である縦姿勢及び横姿勢に応じて表示部に表示する画像を回転させている。
【先行技術文献】
【特許文献】
【０００３】
【特許文献１】特開２００１−６７００４号公報
【発明の概要】
【発明が解決しようとする課題】
【０００４】
ところで、このデジタルフォトフレームにおいては台座に立て掛けた据え置き状態での使用が前提となっているが、鑑賞者が手に持った状態で画像等を鑑賞できるデジタルフォトフレームが求められている。
【０００５】
本発明の目的は、据え置き状態での鑑賞だけでなく鑑賞者が手に持って映像を鑑賞することができるデジタルフォトフレームを提供することである。
【課題を解決するための手段】
【０００６】
本発明のデジタルフォトフレームは、画像を表示する表示部を有し映像の出力を行うデジタルフォトフレームであって、クレードルに載置されているか、前記クレードルから外されているかを検出する検出部と、前記検出部の検出結果に応じて前記映像の出力態様を異ならせる出力制御部とを備えることを特徴とする。
【０００７】
また、本発明のデジタルフォトフレームは、画像を表示する表示部を有し映像の出力を行うデジタルフォトフレームであって、クレードルに載置されているか、前記クレードルから外されているかを検出する検出部と、前記クレードルから外された際に外部装置から前記映像を取得する通信制御部とを備えることを特徴とする。
【発明の効果】
【０００８】
本発明のデジタルフォトフレームによれば、据え置き状態での鑑賞だけでなく鑑賞者が手に持って映像を鑑賞することができる。
【図面の簡単な説明】
【０００９】
【図１】本発明の実施の形態に係るＤＰＦの外観を示す斜視図である。
【図２】本発明の実施の形態に係るＤＰＦのシステム構成を示すブロック図である。
【図３】本発明の実施の形態に係るＤＰＦがクレードルから外された場合の処理を示すフローチャートである。
【発明を実施するための形態】
【００１０】
以下、図面を参照して本発明の実施の形態に係るデジタルフォトフレーム（以下、ＤＰＦという。）について説明する。なお、本実施の形態において、「映像」には画像のみならず音声も含み、動画だけでなく例えば、画像と当該画像に対応するメッセージ等の音声や音楽との組合せも含むものとする。図１は、実施の形態に係るＤＰＦ及びクレードルの外観を示す斜視図である。ＤＰＦ２の装置本体４はクレードル６に対して着脱可能に載置することができる。また、図１における装置本体４の底面をクレードル６に接触させる横姿勢及び装置本体４の側面をクレードル６に接触させる縦姿勢での載置が可能である。なお、図１においては装置本体４がクレードル６から外された状態を示している。
【００１１】
装置本体４の前面には画像や時刻等の情報を電気的に表示するＬＣＤ表示部８、音楽や音声を出力するスピーカ１０、外部の明るさを検出する測光センサ１２が設けられ、上面にはＤＰＦ２の電源のオン／オフ状態を切り替える電源スイッチ１４及びＤＰＦ２の機能設定やＬＣＤ表示部８の表示設定の際に使用する操作キー１６が設けられている。また、装置本体４の側面には、画像や音楽等のデータが記憶されたメモリカードを挿入するメモリカードスロット１８、ＵＳＢ機器が接続されるＵＳＢポート１９が設けられている。また、後述するクレードル６の接点２８に接続され電源の供給を受ける横姿勢接点２０が装置本体４の底面に、縦姿勢接点２２が装置本体４の側面にそれぞれ設けられている。また、装置本体４には、クレードル６を介して画像や音楽等のデータの送受信を行う通信部２４（図２参照）も内蔵されている。
【００１２】
クレードル６には、装置本体４を載置する載置部７が設けられている。また、クレードル６には外部の商用電源から電源を得るＡＣアダプタ２６が接続され、載置部７内に設けられた接点２８を介して装置本体４に電源を供給する。また、クレードル６にはＬＡＮケーブルが接続されるネットワーク端子２９が設けられ、内部にはネットワーク端子２９を介した有線によるＬＡＮ通信または無線ＬＡＮアクセスポイントを介した無線ＬＡＮ通信を行うＬＡＮモジュール３０（図２参照）、ＬＡＮモジュール３０と装置本体４に設けられた通信部２４との中継を行う中継部３２（図２参照）が設けられている。
【００１３】
図２は、実施の形態に係るＤＰＦのシステム構成を示すブロック図である。装置本体４は、ＣＰＵ３４を備え、ＣＰＵ３４にはＬＣＤ表示部８に表示される画像や情報、表示される画像等の表示輝度、色や階調等の表示制御を行う表示制御部３６、スピーカ１０から出力される音楽や音声の再生を行う再生制御部３８、表示制御部３６または再生制御部３８により出力する映像を一時的に記憶するバッファメモリ４０、ＪＰＥＧ方式で圧縮された画像データを再生可能に伸長するＪＰＥＧデコーダ、ＭＰＥＧ方式で圧縮された動画（映像）のデータを再生可能に伸長するＭＰＥＧデコーダ等を含むデコーダ４２、横位置接点２０または縦位置接点２２を介してクレードル６から電源の供給を受け装置本体４の電源の制御を行う電源制御部４４、横位置接点２０及び縦位置接点２２を介して装置本体４がクレードル６に載置されているか、クレードル６から外されているかを検出する検出部４６、操作キー１６により入力された映像の出力条件を設定する出力条件設定部４８、ＤＰＦ２の機能の設定や日時を表す情報画像を含む画像や音楽等のデータを記憶する内部メモリ５０、測光センサ１２、電源スイッチ１４、操作キー１６、メモリカードスロット１８、ＵＳＢポート１９、通信部２４が接続されている。
【００１４】
また、電源制御部４４には、装置本体４がクレードル６から外された場合にＣＰＵ３４を介して装置本体４に電源を供給するバッテリ５２が接続されている。なお、装置本体４がクレードル６に載置されている場合には、クレードル６から供給された電源をＣＰＵ３４を介して装置本体４に供給する他、バッテリ５２の充電を行ってもよい。
【００１５】
また、クレードル６はサブＣＰＵ５４を備え、サブＣＰＵ５４にはＬＡＮモジュール３０、中継部３２及び電源を供給する電源制御部５５が接続され、ＬＡＮモジュール３０にはネットワーク端子２９が接続されている。また、クレードル６には接点２８が設けられ、電源制御部５５及び電源コネクタ５６を介してＡＣアダプタ２６と接続されている。
【００１６】
次に、図３に示すフローチャートを参照して実施の形態に係るＤＰＦがクレードルから外された場合の処理について説明する。本実施の形態においては装置本体４がクレードル６に載置されている場合（据え置き状態）の映像の出力態様等の動作及び装置本体４がクレードル６から外された場合（手持ち状態）の映像の出力態様等の動作を操作キー１６等を用いて出力条件設定部４８において設定することができるものとする。従って、据え置き状態及び手持ち状態のぞれぞれにおいて表示制御部３６及び再生制御部３８は、映像の出力態様として例えば表示態様、表示輝度、色・階調、音声出力、出力制限を異ならせることができ、据え置き状態及び手持ち状態のそれぞれに対応した出力制御が可能である。
【００１７】
据え置き状態において装置本体４がクレードル６から外されると検出部４６はクレードル６から外されたことを検出し、外されてから例えば５秒等の所定の時間以上経過したか否か判定する（ステップＳ１）。所定の時間が経過せずに装置本体４がクレードル６に載置された場合には（ステップＳ１：Ｎｏ）、横姿勢から縦姿勢への姿勢の変更等が行われたものと判定し、処理を終了する。
【００１８】
一方、所定時間が経過した場合には（ステップＳ１：Ｙｅｓ）、ポーリング動作を行う（ステップＳ２）。即ち、通信部２４及びクレードル６を介してネットワークサーバ等の外部装置において新規または更新された映像データ等の新着コンテンツが記憶されているか否か確認し、記憶されている場合には新着コンテンツをＬＡＮモジュール３０、中継部３２を介してダウンロードし、内部メモリ５０やメモリカードスロット１８に挿入されたメモリカードに記憶する。なお、ステップＳ２に示す処理においてポーリングを行う他、クレードル６に載置されている場合であっても１日に１回等例えば深夜の所定時刻にポーリングを行うようにしてよい。クレードル６に載置されている状態で場合に新着コンテンツをダウンロードした場合にはＬＣＤ表示部８においてその旨のアイコンを表示する等の報知を行ってもよい。次に、出力条件設定部４８から手持ち状態における出力態様の設定を読み出し、手持ち状態に対応した出力態様による出力制御、即ち、据え置き状態とは異なる出力態様による出力制御を行う（ステップＳ３）。
【００１９】
ここで据え置き状態と手持ち状態とで異なる出力態様について説明する。
【００２０】
表示態様に関しては、据え置き状態では表示制御部３６がＬＣＤ表示部８に表示する画像を１枚の画像を例えば１時間や１日等長時間出力する固定表示モードとし、手持ち状態においては数分以下の時間で画像を切り替えるスライドショーモードとすることにより出力態様を異ならせる。また、据え置き状態では上述の固定表示モードを設定し、手持ち状態では複数の画像を縮小して１画面に出力するサムネイル表示モードを設定して表示態様を異ならせてもよい。また、据え置き状態及び手持ち状態の何れにおいてもスライドショーモードが設定されている場合には画像の切り替え速度を異ならせる設定を行ってもよいし、据え置き状態から手持ち状態に移行した場合にスライドショーを数枚前等所定枚数前から再実行する設定を行うことにより出力態様を異ならせてもよい。
【００２１】
また、据え置き状態においてカレンダーや時刻等の情報表示を付加して表示し、手持ち状態においては情報表示を行わないようにして出力態様を異ならせてもよい。このとき情報表示は、フルスクリーンで表示してもよいし、縮小して画面の一部に表示してもよい。
【００２２】
また、音声出力に関しては、再生制御部３８の制御によりスピーカ１０から出力する音声について据え置き状態においては音声の出力を行わず、手持ち状態においては音声の出力を行うことにより出力態様を異ならせる。なお、据え置き状態であるか手持ち状態であるかに関わらず音声の出力を行ってもよく、この場合には据え置き状態における音量を手持ち状態における音量よりも大きくする等、据え置き状態と手持ち状態において出力する音声の音量を異ならせるようにしてもよい。
【００２３】
また、ＬＣＤ表示部８への映像の出力制限に関しては、据え置き状態においては据え置き状態の場合のみに表示可能である画像及び据え置き状態であるか手持ち状態であるかに関わらず表示可能である画像を表示し、手持ち状態においては手持ち状態の場合のみに表示可能である画像及び据え置き状態であるか手持ち状態であるかに関わらず表示可能である画像を出力することにより出力態様を異ならせる。なお、この場合には、内部メモリ５０またはメモリカードスロット１８に挿入されたメモリカードに記憶された各画像に対して据え置き状態の場合にのみに表示可能である画像、手持ち状態の場合にのみ表示可能である画像、何れの状態においても表示可能である画像である旨の設定をすることができるように構成する。
【００２４】
また、手持ち状態における鑑賞日時が例えば誕生日や結婚記念日等の設定された日の前後１週間程度である場合には、前年以前の誕生日や結婚記念日の前後に撮影された画像を表示する特定画像表示モードとして画像を出力してもよい。また、手持ち状態においてネットワークサーバ等の外部装置から取得した新規または更新された映像データ等のコンテンツが未開封の場合に未確認のコンテンツを優先的に表示する新着コンテンツ優先表示モードとして画像を出力することにより出力態様を異ならせてもよい。
【００２５】
また、ＬＣＤ表示部８の表示輝度に関しては、表示制御部３６は、据え置き状態において測光センサ１２により測定された外部の明るさに応じて随時ＬＣＤ表示部８の表示輝度を変化させ、手持ち状態においては手に持った際の角度により外部の明るさが頻繁に変化するおそれがあるため、外部の明るさに関わらず表示輝度を一定とすることにより出力態様を異ならせる。
【００２６】
また、ＬＣＤ表示部８に表示される画像の色・階調に関しては、表示制御部３６は、据え置き状態においては遠くから見た場合を考慮して彩度を高めとし、かつコントラストを高めに表示する制御を行い、手持ち状態においては近くで見ると考えられるため彩度やコントラストを高めに表示する制御は行わないことにより出力態様を異ならせる。
【００２７】
そしてメモリカードスロット１８に挿入されたメモリカードや内部メモリ５０から映像データを読み出し（ステップＳ４）、設定された出力態様に応じて映像を表示制御部３６及び再生制御部３８により出力する（ステップＳ５）。
【００２８】
映像等の出力は装置本体４がクレードル６へ載置されるまで継続し、装置本体４がクレードル６へ載置されたことを検出部４６により検出した場合には、出力条件設定部４８に設定されている装置本体４がクレードル６に載置される際の動作設定を読み出す。ここで、装置本体４がクレードル６に載置される際の動作設定についても、装置本体４がクレードル６から外された際に表示していた画像を表示する復帰モード、装置本体４がクレードル６に載置される際に表示していた画像を継続して表示する動作継続モードを設定することができ、更に電源制御部４４により供給される電源量を減少させる待機モードを設定することができる。
【００２９】
読み出した動作設定が復帰モードまたは動作継続モードである場合には、設定に応じて内部メモリ５０またはメモリカードスロット１８に挿入されたメモリカードから映像データを読み出し、映像等を表示制御部３６及び再生制御部３８の制御によりＬＣＤ表示部８及びスピーカ１０から出力する。
【００３０】
また、読み出した設定が待機モードである場合には、電源制御部４４から供給される電源量を減少させ待機状態とする。なお、待機状態とする場合には、画像を表示したまま表示制御部３６によりＬＣＤ表示部８の表示輝度を減少させてもよいし、表示制御部３６によるＬＣＤ表示部８への画像の出力を停止してもよい。
【００３１】
本実施の形態に係るＤＰＦによれば、据え置き状態での鑑賞だけでなく、鑑賞者が手に持って映像を鑑賞することもできるため、使い勝手がよい。
【００３２】
なお、上述の実施の形態において、映像の出力態様について、表示輝度、色・階調、音声出力、表示態様、映像の出力制限を例に説明したが、出力態様を異ならせる場合にはこれらの出力態様のうち少なくとも１つを異ならせる構成であればよい。
【００３３】
また、上述の実施の形態において、ポーリング動作及び映像の出力態様を異ならせる処理を行う構成としたが、何れか一方を行う構成であればよい。
【００３４】
また、上述の実施の形態において、表示輝度、色・階調、音声出力、表示態様、映像の出力制限及びクレードルに載置される際の動作を設定する構成としたが、これらの設定についてデフォルト設定等の予め記憶された設定を用いる構成としてもよい。
【００３５】
また、上述の実施の形態において、表示態様を異ならせる場合に据え置き状態において固定表示モード、手持ち状態においてスライドショーモードとする構成を例に説明したが、据え置き状態においてスライドショーモード、手持ち状態において固定表示モードとする構成としてもよい。
【００３６】
また、上述の実施の形態において、メモリカードスロットに挿入されたメモリカードまたは内部メモリから映像データ等を読み出す構成としたが、ＵＳＢポートに接続されたＵＳＢ機器から映像データ等を読み出す構成としてもよい。
【００３７】
また、上述の実施の形態において、据え置き状態及び手持ち状態において一定時間以上操作されなかった場合に電源制御部４４から供給される電源量を減少させる待機状態とする構成としてもよい。この場合には、電力消費を抑えることができ、手持ち状態においてはバッテリを長持ちさせることができる。
【００３８】
また、上述の実施の形態において、検出部４６により横位置接点２０及び縦位置接点２２を介して装置本体４がクレードル６に載置されているか、クレードル６から外されているかを検出する構成としたが、電源制御部４４を介して電源が供給されているか否かを判定することにより装置本体４がクレードル６に載置されているか、クレードル６から外されているかを検出する構成としてもよい。
【００３９】
また、上述の実施の形態においてポーリングをクレードル６との間で無線通信を行い、クレードルを介して行う構成としたが、装置本体４が無線ＬＡＮのアクセスポイントと通信可能である場合にはアクセスポイントから直接映像データを取得するようにしてもよい。
【００４０】
また、上述の実施の形態において画像の表示態様を異ならせる際に据え置き状態において固定表示モード、手持ち状態においてスライドショーモードとするとき、固定表示モードにおいて表示を行っていた画像と内部メモリまたはメモリカードにおいて同じフォルダに記憶されている画像等同じグループに属する画像のスライドショーを行うようにしてもよい。
【符号の説明】
【００４１】
２…ＤＰＦ、４…装置本体、６…クレードル、８…ＬＣＤ表示部、１０…スピーカ、１６…操作キー、２０…横姿勢接点、２２…縦姿勢接点、２８…接点、３６…表示制御部、３８…再生制御部、４６…検出部、４８…出力条件設定部。
【図１】
2010243723.tif 000003
【図２】
2010243723.tif 000004
【図３】
2010243723.tif 000005